(57)【特許請求の範囲】
【請求項１】
反射ミラー部を有する振動体の少なくとも一部を振動させることにより、反射ミラー部を回転させ、前記反射ミラー部に入射した光の反射方向を変化させて光を走査する光走査装置において、
前記振動体は、
前記反射ミラー部の両側面に連結され、前記反射ミラー部の回転軸線に略平行な方向に延出し、振動により捻れ変位が発生する一対の第１の捻りバネ部と、
前記一対の第１の捻りバネ部の各々に連結され、前記反射ミラー部に略平行な面上で、且つ前記回転軸線に略垂直な方向において、前記第１の捻りバネ部の両側に延出する一対の第１バネ部分と、前記一対の第１バネ部分の両端の各々に連結され、前記反射ミラー部に略平行な面上で、且つ前記回転軸線に略平行に延出する４つの第２バネ部分と、を有し、振動により捻れ変位が発生する一対の第２の捻りバネ部と、
前記一対の第２の捻りバネ部の前記第２バネ部分に連結され、前記反射ミラー部に略平行な面上で、且つ前記回転軸線に略垂直な方向において、前記第２バネ部分の両側に延出し、前記反射ミラー部に略平行な面上で、前記反射ミラー部、前記一対の第１の捻りバネ部、及び前記一対の第２の捻りバネ部を囲う固定枠部と、
前記４つの第２バネ部分のうち、前記反射ミラー部を挟んで対向する一対の前記第２バネ部分、または前記回転軸線を挟んで対向する一対の前記第２バネ部分に設けられ、前記反射ミラー部を振動させる一対の振動駆動源と、を備えることを特徴とする光走査装置。
【請求項２】
全ての前記４つの第２バネ部分に４つの前記振動駆動源を備えることを特徴とする請求項１に記載の光走査装置。
【請求項３】
前記振動駆動源は、前記第２バネ部分と前記固定枠部とにわたって設けられることを特徴とする請求項１又は請求項２に記載の光走査装置。
【請求項４】
請求項１から請求項３に記載の光走査装置に用いられる振動体。
【請求項５】
請求項１から請求項３に記載の光走査装置を備えた画像形成装置。
【発明の詳細な説明】
【０００１】
【発明の属する技術分野】
本発明は、反射ミラー部を有する振動体の少なくとも一部を振動させることにより、反射ミラー部に入射した光の反射方向を変化させて光を走査する光走査装置、このような光走査装置に用いられる振動体及びこのような光走査装置を備えた画像形成装置に関するものである。
【０００２】
【従来の技術】
従来より、レーザープリンタやレーザー光を走査して映像を投影する表示装置等には光走査装置が使用されている。この光走査装置として、一般に、回転多面鏡（ポリゴンミラー）を用いるものや、振動駆動型反射鏡（ガルバノミラー）を用いるものがあるが、ガルバノミラー型のものはポリゴンミラー型のものに比べて機構が小型化でき、又、最近の半導体プロセス技術ではシリコン基板を用いたマイクロミラーの試作例なども報告されており、さらに小型化、軽量化、低コスト化が期待できる。
【０００３】
このようなガルバノミラー型の光走査装置の従来例を図８に示す。図８に示すように、ベース台１５０には左右一対の支持部１５１，１５２が設けられ、この一対の支持部１５１，１５２上には振動体１５３が配置されている。この振動体１５３は、固定枠部１５４と、この固定枠部１５４の開口部１５４ａに配置された反射ミラー部１５５と、この反射ミラー部１５５の重心を通る軸上の位置で反射ミラー部１５５と固定枠部１５４とを連結する一対の捻りバネ部１５６，１５６とから一体的に構成されている。固定枠部１５４の左右両端部分が一対の支持部１５１，１５２上に固定されている。
【０００４】
又、駆動手段Ｄは、ベース台１５０上に配置された左右一対の固定電極１５７，１５８を有し、この一対の固定電極１５７，１５８は反射ミラー部１５５の左右両端部に対向する位置に配置されている。この一対の固定電極１５７，１５８の相手側の電極として反射ミラー部１５５が設けられ、該一対の固定電極１５７，１５８のいずれか一方と反射ミラー部１５５との間には切替スイッチＳＷを介して選択的に電圧を印加できるようになっている。尚、反射ミラー部１５５は外枠部１５４と一対の捻りバネ部１５６，１５６を介して接続されているため、反射ミラー部１５５への電圧印加は固定枠部１５４に印加すれば良い。
【０００５】
上記構成において、一方の固定電極１５７と反射ミラー部１５５との間に電圧が印加されたときには、反射ミラー部１５５の左側が静電力により吸引されて反射ミラー部１５５が一対の捻りバネ部１５６，１５６を軸として反時計方向に回転する。又、他方の固定電極１５８と反射ミラー部１５５との間に電圧が印加されたときには、反射ミラー部１５５の右側が静電力により吸引されて反射ミラー部１５５が一対の捻りバネ部１５６，１５６を軸として時計方向に回転する。従って、駆動手段Ｄによって一対の固定電極１５７，１５８に交互に電圧が印加されることによって反射ミラー部１５５が左右に振動するものである。そして、この反射ミラー部１５５に入射した光は、反射ミラー部１５５の振動によって反射方向が変化され、これによって反射光の走査が行われる。
【０００６】
このようなガルバノミラー型の光走査装置の走査周波数は反射ミラー部１５５の共振周波数により定まり、反射光の走査角は反射ミラー部１５５の振れ角により定まる。そして、反射ミラー部１５５は一対の捻りバネ部１５６，１５６の捻り変形によって往復回転運動するため、反射ミラー部１５５の慣性モーメントを一定とした場合には、反射ミラー部１５５の共振周波数及び振れ角は、捻りバネ部１５６，１５６の捻り剛性により定まる。
【０００７】
【発明が解決しようとする課題】
しかしながら、上記のような従来のガルバノミラー型の光走査装置においては、反射ミラー部１５５の共振周波数及び振れ角は、共に一対の捻りバネ部１５６，１５６の捻り剛性により定まることになるため、共振周波数及び振れ角を共に向上させることは困難であるという問題があった。なぜなら、反射ミラー部１５５の共振周波数を向上させるためには捻りバネ部１５６，１５６の剛性を高くしなければならないが、振れ角を向上させるためには捻りバネ部１５６，１５６の柔軟性を確保しなければならないので、両者は二律背反の関係にあるからである。
【０００８】
具体的には、共振周波数を向上させるために捻りバネ部１５６，１５６の剛性を高くしようとすると、捻りバネ部１５６，１５６の厚さを厚くしたり、幅を太くしたりする必要がある。しかし、そうすると振れ角が十分でなくなるため、捻りバネ部１５６，１５６の長さを長くすることになる。従って、光走査装置全体が大型化したり、捻り振動以外の固有振動が増大して光走査に悪影響を及ぼしたりするという問題があった。
【０００９】
本発明は、上記のような問題を解決するためになされたものであり、反射ミラー部の共振周波数を確保しながら十分な振れ角を得ることができると共に、装置全体をコンパクト化できて、捻り振動以外の固有振動が発生しにくい光走査装置等を提供することを目的とするものである。
【００１０】
【課題を解決するための手段及び発明の効果】
上記のような課題を解決するために、本願の請求項１に係る発明は、反射ミラー部を有する振動体の少なくとも一部を振動させることにより、反射ミラー部を回転させ、前記反射ミラー部に入射した光の反射方向を変化させて光を走査する光走査装置において、前記振動体は、前記反射ミラー部の両側面に連結され、前記反射ミラー部の回転軸線に略平行な方向に延出し、振動により捻れ変位が発生する一対の第１の捻りバネ部と、前記一対の第１の捻りバネ部の各々に連結され、前記反射ミラー部に略平行な面上で、且つ前記回転軸線に略垂直な方向において、前記第１の捻りバネ部の両側に延出する一対の第１バネ部分と、前記一対の第１バネ部分の両端の各々に連結され、前記反射ミラー部に略平行な面上で、且つ前記回転軸線に略平行に延出する４つの第２バネ部分と、を有し、振動により捻れ変位が発生する一対の第２の捻りバネ部と、前記一対の第２の捻りバネ部の前記第２バネ部分に連結され、前記反射ミラー部に略平行な面上で、且つ前記回転軸線に略垂直な方向において、前記第２バネ部分の両側に延出し、前記反射ミラー部に略平行な面上で、前記反射ミラー部、前記一対の第１の捻りバネ部、及び前記一対の第２の捻りバネ部を囲う固定枠部と、前記４つの第２バネ部分のうち、前記反射ミラー部を挟んで対向する一対の前記第２バネ部分、または前記回転軸線を挟んで対向する一対の前記第２バネ部分に設けられ、前記反射ミラー部を振動させる一対の振動駆動源と、を備えることを特徴とする。
【００１１】
このように、光走査装置の振動体には、第１の捻りバネ部と、第２の捻りバネ部と、を設けたので、単なる棒状に形成された捻りバネ部が一箇所で固定枠部に連結された場合と比較して、反射ミラー部が振動して捻れ変位した場合、捻りバネ部と固定枠部との連結点に発生する応力を分散させることができると共に、第１の捻りバネ部のみに応力が集中することなく第２の捻りバネ部にも応力を分散させることができる。従って、捻りバネ部を徒に太くしたり長くしたりしなくても、コンパクトな設計で、反射ミラー部の共振周波数を確保しながら十分な振れ角を得ることができるという効果を奏する。また、第１の捻りバネ部及び第２の捻りバネ部の構成に設計自由度が高いことから、反射ミラー部の共振周波数を確保しながら捻り振動以外の不要な固有振動が捻りの固有振動数付近に発生しない構成とすることができるという効果を奏する。また、第２の捻りバネ部に曲げ変位を起こさせれば、反射ミラー部に捻れ変位を発生させることができる。従って、曲げの振動駆動源により捻れ変位を発生させるため、捻りバネへの振動駆動源の敷設が容易になるという効果を奏する。また、反射ミラー部を挟んで対向する一対の第２バネ部分、または一対の第１の捻りバネ部を結ぶ延長線を挟んで対向する一対の第２バネ部分に、反射ミラー部を振動させる振動駆動源を設けたので、反射ミラー部を支持する捻りバネ部の固定枠部に近い部分を振動させることになり、振動駆動源付近では低電圧で小さな振幅を発生させたとしても、反射ミラー部では効率よく十分大きな振れ角で捻り振動を発生させることができるという効果を奏する。
【００１２】
【００１３】
【００１４】
【００１５】
【００１６】
【発明の実施の形態】
以下、本発明の実施形態について、図面を参照して説明する。
【００１７】
まず、図１を参照して、本発明に係る光走査装置１を備えた網膜走査型画像形成装置（以下「画像形成装置」という）１００の全体構造について説明する。図１は本発明に係る光走査装置１を備えた画像形成装置１００の概略構成を示す説明図である。
【００１８】
本実施形態に係る画像形成装置１００は、観察者の網膜上に直接画像を結像させるように構成されており、観察者の頭部に装着して使用するディスプレイ装置である。図１に示すように、画像形成装置１００は、映像信号供給回路１０３，光源ドライブ回路１０４，１０５，１０６，光源１０７，１０８，１０９，ダイクロイックミラー１１１，１１１，１１１，結合光学系１１２，コリメートレンズ１１３，（水平）光走査装置１，水平駆動走査系１１４，第１のリレー光学系１１５，垂直駆動走査系１１６， 垂直光走査装置，第２のリレー光学系１２３，光センサ１２５，ＢＤ信号検出回路１２７等から構成されている。
【００１９】
映像信号供給回路１０３は、光源ドライブ回路１０４，１０５，１０６に接続されており、これらに対し入力された映像信号に基づいて各色の駆動信号を供給するものである。また、映像信号供給回路１０３は、（水平）光走査装置１の水平駆動走査系１１４及び垂直光走査装置の垂直駆動走査系１１６にも接続されており、走査動作の同期に必要な水平同期信号及び垂直同期信号を供給している。ＢＤセンサ１２５は、走査光がＢＤセンサ１２５上を通過する際に得られる電気信号をＢＤ信号検出回路に送っている。映像信号供給回路１０３では、ＢＤ信号検出回路により得られた信号を利用することで、画像信号の開始タイミングをより正確に決定することができる。
【００２０】
光源ドライブ回路１０４．１０５，１０６は、映像信号供給回路１０３から供給される映像信号に基づいて青色光源１０７，緑色光源１０８，赤色光源１０９を強度変調させるための駆動信号を供給する回路である。これらの光源１０７，１０８，１０９は、駆動信号に基づいてそれぞれ青色、緑色、赤色の各波長に対応する強度変調されたレーザー光の光束を発生させるものである。
【００２１】
コリメート光学系１１０，１１０，１１０は、それぞれの光源１０７，１０８，１０９から拡散するように発生された３色のレーザ光を平行光として、ダイクロイックミラー１１１，１１１，１１１に入射させる。そして、ダイクロイックミラー１１１，１１１，１１１は３色のレーザ光を合成し、合成された３色のレーザ光は結合光学系１１２により結合されて光ファイバー１２９に導かれる。そして、光ファイバー１２９を経由してコリメートレンズ１１３から平行光として射出されたレーザ光は、光走査装置１の反射ミラー部８に入射する。
【００２２】
（水平）光走査装置１は、映像信号供給回路１０３から供給される水平同期信号に基づいて駆動される水平駆動走査系１１４により反射ミラー部８を振動させることにより、反射ミラー部８に入射したレーザー光の反射方向を変化させてレーザー光を水平方向に走査するものである。このようにして走査されたレーザー光は、リレー光学系１１５を経由して垂直光走査装置の反射ミラー部１２１に導かれる。なお、光走査装置１の構成の詳細については、後述する。
【００２３】
垂直光走査装置は、映像信号供給回路１０３から供給される垂直同期信号に基づいて駆動される垂直駆動走査系１１６により反射ミラー部１２１を振動させることにより、反射ミラー部１２１に入射したレーザー光の反射方向を変化させてレーザー光を垂直方向に走査するものである。つまり、（水平）光走査装置１と垂直光走査装置により、レーザー光は二次元的に走査されるのである。このようにして走査されたレーザー光は、リレー光学系１２３により光束としてビーム整形されて、観察者の瞳孔に入射されると共に、網膜上に直接画像として結像される。
【００２４】
次に、図２から図４を参照して、上記のような画像形成装置１００に用いられる光走査装置１の構成について説明する。図２は、本発明の第１実施形態に係る光走査装置１を示す分解斜視図であり、図３は、本発明に係る光走査装置１の振動体６の要部を示す斜視図であり、図４は、本発明の第１実施形態に係る光走査装置１の構造を示す分解斜視図である。
【００２５】
図２に示すように、光走査装置１のベース台２上には一定の間隔を置いて平行に左右一対の支持部３，４が一体的に形成されており、この一対の支持部３，４の間の上面には、凹部２ａ及び凹部２ｂが形成されている。凹部２ａは、支持部３，４に隣接するように形成されている。この凹部２ａには、後述する振動体５の第２の捻りバネ部１０を振動させるための電極１１，１２が配置されている。凹部２ａは比較的浅く形成されているが、これは捻りバネ部１０と電極１１，１２をより近く位置させて捻りバネ部１０を効率よく振動させるためである。また、凹部２ｂは、凹部２ａの間の中央部に比較的深い溝状に形成されている。これは反射ミラー部８の振動を妨げないようにするためである。このようにして構成されたベース台２上に振動体５が配置されている。
【００２６】
振動体５は、反射ミラー部８と、反射ミラー部に連結される捻りバネ部９，１０と、捻りバネ部９，１０が連結される固定枠部７とからなる。
【００２７】
反射ミラー部８は、振動されることにより入射した光の反射方向を変化させるものである。反射ミラー部８は方形状に形成され、固定枠部７のほぼ中央部に配置されている。図３に示すように、反射ミラー部８の表面には光反射膜８ａが形成されており、反射効率を高めるようにしている。なお、反射ミラー部８の共振周波数は、動作振動周波数にほぼ一致するように設定するのが好ましい。
【００２８】
捻りバネ部９，１０は、固定枠部７のほぼ中央部に配置された反射ミラー部８を捻れ変位可能に支持するものである。捻りバネ部９，１０は、反射ミラー部８の両側面の重心位置に連結され、振動により捻れ変位が発生する第１の捻りバネ部９と、その第１の捻りバネ部９に連結され、且つ、振動体５の固定枠部７に対して第１の捻りバネ部９の幅よりも広い間隔で連結されると共に、振動により捻れ変位が発生する第２の捻りバネ部１０と、からなる。第１の捻りバネ部９は反射ミラー部８を直接支持し、第２の捻りバネ部１０は第１の捻りバネ部９を支持することにより反射ミラー部８を間接的に支持するものである。
【００２９】
第２の捻りバネ部１０は、平面視Ｌ字状、又は逆Ｌ字状に形成されており、その一端部が第１の捻りバネ部９に対して略垂直状に連結され、且つ、その他端部が固定枠部７に対して略垂直状に連結されている。本実施形態では、１つの第１の捻りバネ部９に対して２つの第２の捻りバネ部１０が一体的に連結されている。そして、第１の捻りバネ部９は、反射ミラー部８の重心を通る直線上に配置され、第２の捻りバネ部１０は、その直線を中心として対称となるように配置されている。
【００３０】
このように捻りバネ部９，１０を構成したことにより、反射ミラー部８が振動して捻れ変位した場合でも、捻りバネ部９，１０と固定枠部７との連結点に発生する応力を分散させることができる。従って、捻りバネ部を徒に太くしたり長くしたりしなくても、反射ミラー部の共振周波数を確保しながら十分な振れ角を得ることができると共に、装置全体をコンパクト化できて、捻り振動以外の固有振動の発生を防止することができる。
【００３１】
固定枠部７は、反射ミラー部８に連結された捻りバネ部９，１０を支持すると共に、振動体５をベース台２に固着させるものである。具体的には、固定枠部７の左外側端部はベース台２の一方の支持部３に固着され、右外側端部はベース台２の他方の支持部４に固着されている。そして、振動体５をベース台２の上面に固着した状態において、電極１１，１２が第２の捻りバネ部１０の下方であって、捻りバネ部１０に対向する位置に配置されている。従って、振動ミラー部８を支持する捻りバネ部９の根元部分、すなわち第２の捻りバネ部１０を振動させることにより、振動ミラー部８を低い電圧で効率よく十分な振れ角で振動させることができる。
【００３２】
上記のような構成の振動体５の作製は、例えばシリコンウエハ上にパターン形成し、これをエッチングすることにより一体形成する。そして、反射ミラー部８となるべき箇所の表面にＡｌ，Ａｕ等の材料より反射膜８ａを形成すれば完成する。このように作製することによって複数のものを同時に作製できる。
【００３３】
なお、図４に示すように、光走査装置１を密閉構造として内部を減圧し又は不活性ガスを充填すれば、耐環境性が向上するし、空気抵抗が減るので反射ミラー部８の振動をより効率よく行うことができる。具体的には、筐状に形成されたベース台２の上面を、振動体５を挟持した状態で偏向する光ビームが透過する材質で形成された蓋体２０で密封した上で、減圧又は不活性ガスの充填を行う。
【００３４】
駆動手段Ｄは、ベース台２の上面に形成された凹部２ａに分割配置された左右一対の固定電極１１，１２を有し、この各固定電極１１，１２は、上記のように第２の捻りバネ部１０に対向するように配置されている。この各固定電極の相手側の電極は第２の捻りバネ部１０，１０にて形成され、第２の捻りバネ部１０，１０と各固定電極１１，１２との間には切換えスイッチＳＷにて選択的に電圧を印加できるように構成されている。そして、駆動手段Ｄは、切換えスイッチＳＷを順次切換え制御することによって一対の固定電極１１，１２に交互に電圧を印加するように構成されている。
【００３５】
このような構成において、一方（図２における奥側）の固定電極１１に電圧が印加されたときには、一方（同奥側）の第２の捻りバネ部１０が静電力によって吸引されて下方に移動する。すると、第２の捻りバネ部１０の下方移動が一方（同奥側）の捩じりバネ部９を介して反射ミラー部８に伝達され、これが回転トルクとなって反射ミラー部８が略重心を通る軸を中心として回転する。
【００３６】
又、他方（図２における手前側）の固定電極１２に電圧が印加されたときには、前記一方（同奥側）の吸引されていた第２の捻りバネ部１０の吸引力が解除されてその第２の捻りバネ部１０が上方に戻ると共に、他方（同手前側）の第２の捻りバネ部１０が静電力によって吸引されて下方に移動する。すると、その第２の捻りバネ部１０の下方移動が他方（同手前側）の捩じりバネ部１０を介して反射ミラー部８に伝達され、これが回転トルクとなって反射ミラー部８が略重心を通る軸を中心として回転する。
【００３７】
そして、駆動手段Ｄによって一対の固定電極１１，１２に交互に電圧が印加されると、上記反射ミラー部８の回転が繰り返され、これによって反射ミラー部８が振動するものである。
【００３８】
上記動作にあって、第２の捻りバネ部１０からの駆動力が第１の捻りバネ部９を介して反射ミラー部８の振動（回転）中心の近傍に作用するため、小さな駆動ストロークで大きな振動角が得られる。又、反射ミラー部８には駆動手段Ｄの部材を何等配置する必要がないため、反射ミラー部８のサイズが小さくて良く高速振動が可能である。
【００３９】
なお、駆動手段Ｄは、一対の第２の捻りバネ部１０，１０に対し別個独立に駆動力を作用するように構成されているが、反射ミラー部８を共振振動によって振動させるのであれば、いずれか一方の第２の捻りバネ部１０にのみ駆動力を作用させるように構成しても良い。
【００４０】
次に、本発明の第２実施形態に係る光走査装置１Ｂについて、図５を参照して説明する。図５は、本発明の第２実施形態に係る光走査装置１Ｂを示す分解斜視図である。なお、第２実施形態に係る光走査装置１Ｂにおいては、前記第１実施形態と比較して駆動手段Ｄの構成のみが相違し、他の構成は同一であるため、駆動手段Ｄの構成のみを説明し、その他の構成は図面に同一符号を付してその説明を省略する。
【００４１】
第２実施形態においては、駆動手段Ｄとして、一対の第２の捻りバネ部１０，１０の上下面にＰＺＴ等からなる圧電体３０，３０がそれぞれ配置されている。この上下一対の圧電体３０，３０によって圧電バイモルフが構成されている。そして、一対の圧電バイモルフには互いに逆位相の電圧を周期的に印加するように構成されている。この圧電バイモルフを構成する一対の圧電体３０，３０間に電圧が印加されると、圧電材料が分極して第２の捻りバネ部１０が撓むため、捩じりバネ部９を介して第１実施形態と同様な回転トルクを反射ミラー部８に作用させることができる。
【００４２】
尚、圧電体３０は第２の捻りバネ部１０の上下面の少なくとも一方だけ配置してもよく、この場合には圧電ユニモルフとして作用し、圧電バイモルフの場合に比べて発生力は低下するものの、同様な動作で行うことが可能である。
【００４３】
次に、本発明の第３実施形態に係る光走査装置１Ｃについて、図６を参照して説明する。図６は、本発明の第３実施形態に係る光走査装置１Ｃを示す分解斜視図である。なお、第３実施形態に係る光走査装置１Ｃにおいては、前記第１実施形態と比較して駆動手段Ｄの構成のみが相違し、他の構成は同一であるため、駆動手段Ｄの構成のみを説明し、その他の構成は図面に同一符号を付してその説明を省略する。
【００４４】
第３実施形態においては、駆動手段Ｄとして、ベース台２の下方であって手前側と奥側に一対の圧電積層アクチュエータ部４０，４１が配置されており、この一対の圧電積層アクチュエータ部４０，４１には互いに逆位相の電圧を周期的に印加するように構成されている。圧電積層アクチュエータ部４０，４１は印加される電圧によって積層方向に体積変動するため、一方（図６における手前側）の圧電積層アクチュエータ部４０が下方に移動すると、振動体５の一方（同手前側）が下方に変位するため、反射ミラー部８に回転トルクが作用する。又、他方（同奥側）の圧電積層アクチュエータ部４１が下方に移動すると、振動体５の他方（同奥側）が下方に変位するため、反射ミラー部８に反対方向の回転トルクが作用する。そして、駆動手段Ｄによって一対の圧電積層アクチュエータ部４０，４１に互いに逆位相の電圧が周期的に印加されると、上記反射ミラー部８の正逆回転が繰り返され、これによって反射ミラー部８が振動するものである。なお、圧電積層アクチュエータ部は、必ずしも一対設ける必要はなく、一方にだけ配置するようにしてもよい。
【００４５】
次に、本発明の第４実施形態に係る光走査装置１Ｄについて、図７を参照して説明する。図７は、本発明の第４実施形態に係る光走査装置１Ｄを示す分解斜視図である。なお、第４実施形態に係る光走査装置１Ｄにおいては、前記第１実施形態と比較して駆動手段Ｄの構成のみが相違し、他の構成は同一であるため、駆動手段Ｄの構成のみを説明し、その他の構成は図面に同一符号を付してその説明を省略する。
【００４６】
第４実施形態においては、駆動手段Ｄとして、振動体５の第２の捻りバネ部１０，１０の上面を通るように駆動コイル５２が配置されており、ベース台２の凹部２ａの上面には捻りバネ部１０，１０に対向するように永久磁石５０，５１が配置されている。そして、駆動コイル５２には互いに逆相の駆動電流を周期的に通電するように構成されている。従って、駆動コイル５２に互いに逆相の駆動電流を周期的に通電すると、一方（図７における手前側）の捻りバネ部１０と他方（同奥側）の捻りバネ部１０とが交互に永久磁石５０，５１に対して吸引、反発を繰り返し、これにより、上記と同様な回転トルクが反射ミラー部８に作用するため、反射ミラー部８が振動するものである。
【００４７】
以上のように、第１〜第４実施形態の各光走査装置によれば、駆動手段Ｄは一対の捻りバネ部１０，１０に別個独立に駆動力を作用させる構成とすれば良いため、駆動手段Ｄの構成として種々のものが適用でき自由度が高い。また、駆動手段Ｄは一対の捻りバネ部１０，１０に別個独立に駆動力を作用させることができれば良いので、第１〜第４実施形態以外の構成でも良い。
【００４８】
また、前記各実施形態によれば、光走査装置１の適用例として画像形成装置を示したが、電子写真式複写機、レーザビームプリンタ、バーコードリーダ等の光学機器の走査装置や、光ディスクのトラッキング制御装置の光偏向装置等にも適用できることはもちろんである。
【図面の簡単な説明】
【図１】  本発明に係る光走査装置を備えた画像形成装置の概略構成を示す説明図である。
【図２】  本発明の第１実施形態に係る光走査装置を示す分解斜視図である。
【図３】  本発明に係る光走査装置の振動体の要部を示す斜視図である。
【図４】  本発明の第１実施形態に係る光走査装置の構造を示す分解斜視図である。
【図５】  本発明の第２実施形態に係る光走査装置を示す分解斜視図である。
【図６】  本発明の第３実施形態に係る光走査装置を示す分解斜視図である。
【図７】  本発明の第４実施形態に係る光走査装置を示す分解斜視図である。
【図８】  従来の光走査装置を示す分解斜視図である。
【符号の説明】
１  光走査装置
２  ベース台
５  振動体
７  固定枠部
８  反射ミラー部
９  第１の捻りバネ部
１０  第２の捻りバネ部
１１  電極
１２  電極
【図１】
0004461654.tif 000002
【図２】
0004461654.tif 000003
【図３】
0004461654.tif 000004
【図４】
0004461654.tif 000005
【図５】
0004461654.tif 000006
【図６】
0004461654.tif 000007
【図７】
0004461654.tif 000008
【図８】
0004461654.tif 000009